(57)【特許請求の範囲】
【請求項１】
浴室の床下に設けられる合成樹脂製の浴室用排水管であって、直管状の硬質管部に連ねて屈曲自在の軟質管部が一体成形され、この軟質管部が蛇腹状に形成され、また軟質管部が、その外周面に軸方向に延びて平面状に形成された平面状部を備え、この平面状部と同一平面上で横方向に屈曲自在に形成されていることを特徴とする浴室用排水管。
【請求項２】
浴室の床下に設けられる合成樹脂製の浴室用排水管であって、直管状の硬質管部に連ねて屈曲自在の軟質管部が一体成形され、この軟質管部が蛇腹状に形成され、また軟質管部が、その外周面に軸方向に延びて溝状に形成された溝状部を備え、この溝状部の軸方向の開口面と同一平面上で横方向に屈曲自在に形成されていることを特徴とする浴室用排水管。
【請求項３】
請求項１又は２記載の浴室用排水管であって、端部に浴室排水設備との接続部材が一体成形されていることを特徴とする浴室用排水管。
【請求項４】
請求項１乃至３の何れかに記載の浴室用排水管であって、軟質管部が両端部に形成されると共に、胴部に形成されていることを特徴とする浴室用排水管。
【請求項５】
請求項１乃至４の何れかに記載の浴室用排水管であって、洗い場パンの裏側に取り付けるための取付部材が硬質管部に一体成形されていることを特徴とする浴室用排水管。
【請求項６】
請求項１乃至５の何れかに記載の浴室用排水管の軟質管部に嵌め付け、この軟質管部の曲げ形状を保持するために使用する形状保持具であって、曲げ管状に形成されると共に、曲げ方向の全長にわたって軟質管部に嵌め付けるための嵌め込み口が開口されていることを特徴とする形状保持具。
【請求項７】
請求項６記載の浴室用排水管に使用する形状保持具であって、曲げ方向と直交する方向の断面が、優弧状に形成されていることを特徴とする形状保持具。
【請求項８】
請求項６又は７記載の浴室用排水管に使用する形状保持具であって、洗い場パンの裏側に取り付けるための取付部を備えていることを特徴とする形状保持具。
【発明の詳細な説明】
【０００１】
【発明の属する技術分野】
本発明は、浴室用排水管に関し、更に詳しくは浴室出入口の段差を解消したバリアフリー浴室において、洗い場を伝わってドア下枠に流れ込む排水を、排水トラップに導くための浴室用排水管及びこの排水管に取り付けて使用する形状保持具に関するものである。
【０００２】
【従来の技術】
従来この種の排水管は、通常、塩化ビニル等の合成樹脂材で硬質の直管状に形成され、エルボ等の管継手と組み合わされて排水路を形成するよう構成されていた。
【０００３】
【発明が解決しようとする課題】
ところでこの種の排水管は、通常、ドア下枠の取付け位置や洗い場の大きさ（広さ）等が異なるごと専用品が揃えられるものであるが、浴室の仕様が少し異なるだけで、多種の組み合わせ例を用意するのでは、製造上、製品管理上、煩雑でロスが大きいものである。
【０００４】
又排水路に管継手が多用されると、その分、漏水の惧れが高くなり、配管施工上の手間暇も増大する。従ってこの種の排水管は、浴室の仕様が多少相違しても、少ない種類で柔軟に対応でき、又漏水の惧れがなく、しかも簡単、迅速に配管できるよう形成されているのが望ましい。
【０００５】
しかるに従来品は、上記の通り、硬質の直管状に形成され、管継手を用いて排水路を形成するものであったから、従来品によると接続箇所が増え、その分、水漏れの惧れがあり、又配管施工上も手間暇が増大するものであった。又従来品の場合は、ドア下枠の取付け位置によって、排水路を形成するためのパイプや管継手の組み合わせを変える必要があったから、従来品を使用すると、製造上は勿論のこと、出荷段階、配送段階において組み合わせミスや手配ミス等が生じ易く、製造上、製品管理上、煩雑でコストも増加する、という問題点があった。
【０００６】
本発明は、このような従来の問題点に鑑み、提案されたものである。
【０００７】
従って本発明の技術的課題は、排水路の水漏れを防止でき、配管施工の手間暇を軽減でき、又浴室の仕様が異なっても少ない種類で柔軟に対応でき、製造上、製品管理上の煩雑さやコストを低減化できるよう形成した浴室用排水管を提供することにある。
【０００８】
又本発明の技術的課題は、配管後の軟質管部の形状を保持できるようにし、排水を安定した状態で円滑に流すことができるよう形成したこの種排水管に使用する形状保持具を提供することにある。
【０００９】
【課題を解決するための手段】
本発明は、上記の課題を解決するために、次のような技術的手段を採る。
【００１０】
即ち本発明は、図１、図４、図６に示されるように、浴室１の床下に設けられる合成樹脂製の浴室用排水管であって、直管状の硬質管部２に連ねて屈曲自在の軟質管部３が一体成形され、この軟質管部３が蛇腹状に形成され、また軟質管部３が、その外周面に軸方向に延びて平面状に形成された平面状部７を備え、この平面状部７と同一平面上で横方向に屈曲自在に形成されていることを特徴とする（請求項１）。
【００１１】
本発明の場合、硬質管部２を形成する材料としては、ＡＢＳ樹脂やポリプロピレン（ＰＰ）、軟質管部３を形成する材料としては、例えばオレフィン系エラストマーがある。本発明品を成形する場合は、可塑化させた両材料を、成形機のノズルから交互に吐出させ、先ず管状の材料（パリソン）を作る。次にこの材料を金型のキャビティに収納させ、型締め後、ブロー成形により一体成形することで得られる。
【００１２】
本発明の場合、軟質管部３の形成位置や長さ、個数は、浴室出入口のドア下枠４から排水トラップ６までの距離等によって適宜選定される。従って本発明の場合、硬質管部２と軟質管部３との組み合わせ例は、図１に示されるものには限られず、その他例えば図２に示されるように、任意である。同図Ａに示される事例は、軟質管部３が一方の端部と、胴部に一個形成されたものである。又本発明の場合、軟質管部３は、同図Ｂに示されるように、胴部に長く形成されたり、或いは同図Ｃに示されるように、一方の端部から胴部のほぼ中央位置まで連続して長く形成されるのでも良い。なお、図６に示される事例では、平面状部７が軟質管部３の上下位置に対向状に形成されているが、本発明はこれに限られず、片面だけに形成されるのでも良い。
【００１３】
又本発明は、図７に示されるように、浴室１の床下に設けられる合成樹脂製の浴室用排水管であって、直管状の硬質管部２に連ねて屈曲自在の軟質管部３が一体成形され、この軟質管部３が蛇腹状に形成され、また軟質管部３が、その外周面に軸方向に延びて溝状に形成された溝状部８を備え、この溝状部８の軸方向の開口面８ａと同一平面上で横方向に屈曲自在に形成されているのでも良い（請求項２）。
【００１４】
なぜならこの場合も、曲げ操作を円滑化、容易化できるからである。溝状部８の溝は、断面Ｖ字状には限られず、その他例えば凹溝状等でも良い。なお溝状部８は、この事例では軟質管部３の外周面の片側にだけ形成されているが、両側に形成されるのでも良いことは勿論である。
【００１５】
而して本発明の排水管は、図３に示されるように、端部に浴室排水設備との接続部材１３が一体成形されているのが好ましい（請求項３）。
【００１６】
なぜならこれによると、配管施工の手間暇を更に軽減できるからである。ここで、浴室排水設備とは、ドア下枠４や排水トラップ６を意味する。この実施形態の場合、接続部材１３は、エルボ状に形成された屈曲管部１３ａと、ドア下枠４に接続させるための接続部１３ｂとで形成されている。
【００１７】
又本発明は、図４に示されるように、軟質管部３が両端部に形成されると共に、胴部に形成されているのが好ましい（請求項４）。
【００１８】
なぜならこの場合は、胴部の軟質管部３でドア下枠４の取付け位置の変更にも柔軟に対応できるだけではなく、端部を屈曲させることができるため、ドア下枠４と排水トラップ６に接続する際に、端部の位置決めや突き合わせを容易化できるからである。
【００１９】
又本発明は、図８、図９に示されるように、洗い場パン５の裏側に取り付けるための取付部材２ａが硬質管部２に一体成形されているのでも良い（請求項５）。
【００２０】
この場合は、洗い場パン５の裏側のリブ５ａ等に、例えばネジ止めすることで配管の位置ずれを防止できるからである。
【００２１】
又本発明の浴室用排水管に使用する形状保持具としては、図１０〜図１２に示されるものがある。即ちこの本発明の形状保持具９は、本発明排水管の軟質管部３に嵌め付け、この軟質管部３の曲げ形状を保持するために使用するものであって、曲げ管状に形成されると共に、曲げ方向の全長にわたって軟質管部３に嵌め付けるための嵌め込み口１０が開口されているものである（請求項６）。
【００２２】
本発明の排水管は、軟質管部３が曲げられたとき、その復元力で他の部分に応力が働くのを避けられない。そのため上下方向にぶれたり、水勾配を逆にさせることがある。又軟質管部３が長い場合は、曲げるポイントが定まり難い。本発明の形状保持具９は、このような問題を解消するため、提案されたものである。
【００２３】
ここで、曲げ管状に形成される、とは、屈曲状、湾曲状に曲げられているのであれば、曲げ角度は任意である、ということを意味する。従って本発明品は、９０度に曲げられる場合には限られない。又嵌め込み口１０は、上面に形成される場合には限られず、図１３に示されるように、横方向に開口されているのでも良い。この実施形態の本発明品は、同図に示されるように、軟質管部３に横方向から嵌め付けて使用する。
【００２４】
又本発明の形状保持具９は、曲げ方向と直交する方向の断面が、優弧状に形成されているのが好ましい（請求項７）。
【００２５】
なぜならこの場合は、軟質管部３をくわえ込むように嵌め付けでき、軟質管部３を確実に保持でき、位置ずれを防止できるからである。
【００２６】
又本発明の形状保持具９は、図１４、図１５に示されるように、洗い場パン５の裏側に取り付けるための取付部１１を備えているのでも良い（請求項８）。
【００２７】
なぜならこの場合は、本発明品を洗い場パン５に固定できるため、軟質管部３の横ぶれ、横ずれを防止でき、その分、確実且つ円滑に排水できるからである。この実施形態の取付部１１は、鉤形に形成されると共に、上部にネジ孔１１ａが形成され、ネジ１２で洗い場パン５の裏側のリブ５ａにネジ止めできるよう形成されている。
【００２８】
【発明の実施の形態】
以下、本発明の好適な一実施形態を添付図面に従って説明する。
【００２９】
本発明は、図１等に示されるように、浴室１の床下に設けられる合成樹脂製の浴室用排水管である。本発明の排水管は、直管状の硬質管部２に連ねて屈曲自在の軟質管部３が一体成形されている。なお４は、浴室出入口のドア下枠であり、５は洗い場パン、６は排水トラップである。
【００３０】
又本発明品は、軟質管部３が蛇腹状に形成され、図示されるように、両端部と、胴部の２箇所に、所定の長さにわたって形成されている。
【００３１】
硬質管部２と軟質管部３とは、具体的にはブロー成形により一体状に形成される。この実施形態では、硬質管部２としてＡＢＳ樹脂が使用され、軟質管部３としてオレフィン系エラストマーが使用されている。成形する場合は、先ず両材料を可塑化して成形機のノズルから交互に吐出させ、管状の材料（パリソン）を作る。次にこの材料を予備ブローし、所望の口径、肉厚に形成した後、成形金型のキャビティに収納させる。キャビティには、軟質管部３に対応する位置に蛇腹状の溝を形成しておく。そして型締めし、その後、ブロー成形することで硬質管部２と軟質管部３とを一体化させた本発明品を得る。
また軟質管部３は、その外周面に軸方向に延びて平面状に形成された平面状部７を備え、この平面状部７と同一平面上で横方向に屈曲自在に形成されている。
【００３２】
次に本発明の排水管に使用する形状保持具９の好適な一実施形態を、図１０〜図１２に従って説明する。
【００３３】
この実施形態の本発明保持具９は、９０度に曲げられた曲げ管状に形成され、且つ曲げ方向の全長にわたって軟質管部３に嵌め付けるための嵌め込み口１０が上面に開口されている。又この実施形態の本発明品は、曲げ方向と直交する方向の断面が、優弧状に形成されている。
【００３４】
次に上記した本発明の排水管及び形状保持具９の使用例を説明する。
【００３５】
作業者は、本発明排水管の例えば一方の端部を、図１に示されるように、ドア下枠４に接続する。次に作業者は、所望の軟質管部３を９０度屈曲させると共に、本発明の形状保持具９をその軟質管部３に下方からあてがって嵌め付け、全体の形態を例えばクランク形に形作る。そして他方の端部を、排水トラップ６に接続する。
【００３６】
而してドア下枠４の取付け位置が、例えば図５に示されるように、洗い場パン５の短手方向の場合は、平面視でＬ字形に本発明の排水管を作業者は形作り、ドア下枠４と排水トラップ６とに配管する。
【００３７】
以上の処において、本発明は、図７に示されるように形成されているのでも良い。この本発明は、浴室１の床下に設けられる合成樹脂製の浴室用排水管であって、直管状の硬質管部２に連ねて屈曲自在の軟質管部３が一体成形され、この軟質管部３が蛇腹状に形成されている。
また軟質管部３が、その外周面に軸方向に延びて溝状に形成された溝状部８を備え、この溝状部８の軸方向の開口面８ａと同一平面上で横方向に屈曲自在に形成されている。
溝状部８の溝は、この実施形態では断面Ｖ字状に形成されている。また溝状部８は、この事例では軟質管部３の外周面の片側にだけ形成されている。
【００３８】
【発明の効果】
以上説明したように本発明は、浴室の床下に設ける合成樹脂製の浴室用排水管であって、直管状の硬質管部に連ねて屈曲自在の軟質管部を一体成形したものである。
【００３９】
従って本発明の場合は、現場に合わせて軟質管部を曲げ、管継手による接続作業を伴うことなく排水路を一度に形成できるから、これを使用すれば水漏れを防止でき、配管施工作業の手間暇を軽減できる。又本発明の場合は、軟質管部が軸方向に伸縮し、しかも曲げ方向を容易に変更できるため、これによればドア下枠の取付け位置が異なる場合でも柔軟に対応でき、この種の排水管の種類を減らすことができる。
【００４０】
また本発明は、軟質管部が蛇腹状に形成されているから、軸方向に伸縮可能になり、長さ調節を容易化できる。
また本発明は、軟質管部が、その外周面に軸方向に延びて平面状に形成された平面状部を備え、この平面状部と同一平面上で横方向に屈曲自在に形成されている。
従って本発明の場合は、曲げ方向が決定されるため、管路が上下方向にぶれたり、勾配が逆になることを防止でき、円滑に排水させることができる。特に軟質管部が複数ある場合は、管路をくねらせたり、捻じれさせることがないから、配管作業を容易化でき、管路を整然化できる。
また請求項２記載の本発明の場合も、曲げ操作を円滑化、容易化できる。
【００４１】
又本発明の形状保持具は、上記のように構成されているから、排水管に嵌め付けるだけで、軟質管部の曲げ形状を保持でき、排水管のぶれや復元作用を防止できるから、これによれば排水を安定した状態で円滑に流すことができる。
【図面の簡単な説明】
【図１】  本発明排水管の好適な一実施形態を示す要部平面図である。
【図２】  Ａ〜Ｃとも同上排水管の他の実施形態を示す正面図である。
【図３】  同上排水管の他の実施形態を示し、Ａは要部側面図、Ｂは要部平面図、ＣはＢのＣーＣ線断面図である。
【図４】  同上排水管の更に他の実施形態を示す正面図である。
【図５】  同上排水管の他の接続例を説明するための要部平面図である。
【図６】  同上排水管の他の実施形態を示し、Ａは要部斜視図、ＢはＡのＢーＢ線断面図である。
【図７】  同上排水管の更に他の実施形態を示し、Ａは要部斜視図、ＢはＡのＢーＢ線断面図である。
【図８】  同上排水管の更に他の実施形態を示す使用状態時の要部側面図である。
【図９】  図８に示す本発明排水管の使用状態時の要部平面図である。
【図１０】  本発明形状保持具の斜視図である。
【図１１】  同上保持具の使用状態を示す要部平面図である。
【図１２】  図１１のXIIーXII線における断面図である。
【図１３】  同上保持具の他の実施形態を示し、Ａは使用状態時の要部平面図、ＢはＡのＢーＢ線における断面図である。
【図１４】  同上保持具の更に他の実施形態を示す斜視図である。
【図１５】  図１４のXVーXV線における使用状態時の要部断面図である。
【符号の説明】
１    浴室
２    硬質管部
３    軟質管部
７ 平面状部
【図１】
0004655375.tif 000002
【図２】
0004655375.tif 000003
【図３】
0004655375.tif 000004
【図４】
0004655375.tif 000005
【図５】
0004655375.tif 000006
【図６】
0004655375.tif 000007
【図７】
0004655375.tif 000008
【図８】
0004655375.tif 000009
【図９】
0004655375.tif 000010
【図１０】
0004655375.tif 000011
【図１１】
0004655375.tif 000012
【図１２】
0004655375.tif 000013
【図１３】
0004655375.tif 000014
【図１４】
0004655375.tif 000015
【図１５】
0004655375.tif 000016